(57)【要約】【課題】  短時間で且つ精度良く、特定の塩基配列の有無を判定できるようにすること。【解決手段】  磁気微粒子と結合したｄＮＴＰと、蛍光標識されたプライマーとを用いてＤＮＡサンプルに対してＰＣＲ法を行い、ＰＣＲ法により得られた生成物をゲル８中で陽極４に向けて電気泳動させ、陽極３と離れた位置にある磁石６により磁界を発生させ、ゲル８の蛍光強度分布を観察する。【選択図】図１
2005192497.tif 000002
【特許請求の範囲】
【請求項１】
蛍光標識を有するプライマーに磁気微粒子を有するｄＮＴＰを結合して得られる生成物が取り込まれるための媒体が入った槽と、
前記媒体に電界を加える電界形成手段と、
前記媒体に磁界を加える磁界形成手段と、
を備えることを特徴とする検査装置。
【請求項２】
前記媒体内の前記蛍光標識が蛍光を発するような励起光を出射する光源を更に有することを特徴とする請求項１に記載の検査装置。
【請求項３】
前記蛍光標識の蛍光を判別する判別手段を更に有することを特徴とする請求項２に記載の検査装置。
【請求項４】
蛍光標識されたプライマーに磁気微粒子を有するｄＮＴＰを結合して得られる生成物を媒体に入れる工程と、
前記媒体に電界を加える電界形成工程と、
前記電界形成工程の前又は後又は同時に、前記媒体に磁界を加える磁界形成工程と、
を含むことを特徴とする検査方法。
【請求項５】
前記媒体内の前記蛍光標識が蛍光を発するような励起光を出射する励起光出射工程を更に含むことを特徴とする請求項４に記載の検査方法。
【請求項６】
前記蛍光標識の蛍光を判別する判別工程を更に含むことを特徴とする請求項５に記載の検査方法。
【請求項７】
蛍光標識を有するプライマーを相補的な塩基配列のＤＮＡと結合してから磁気微粒子を有するｄＮＴＰを入れて前記蛍光標識を有するプライマーに前記ｄＮＴＰを結合するための合成用の槽を有することを特徴とする合成装置。
【発明の詳細な説明】
【技術分野】
【０００１】
本発明は、検査装置及び検査方法に関し、特にＤＮＡを検査する装置及び検査方法に関する。
【背景技術】
【０００２】
近年、医療分野、農業分野等の幅広い分野で生物の遺伝子情報が利用されるようになってきているが、遺伝子の利用に際しては、ＤＮＡの構造解明が不可欠である。ＤＮＡは螺旋状によじれあった２本のポリヌクレオチド鎖を有し、それぞれのポリヌクレオチド鎖は４種の塩基（アデニン：Ａ、グアニン：Ｇ、シトシン：Ｃ、チミン：Ｔ）が一次元的に並んだ塩基配列を有し、アデニンとチミン、グアニンとシトシンという相補性に基づいて一方のポリヌクレオチド鎖の塩基が他方のポリヌクレオチド鎖の塩基に結合している。
【０００３】
一本鎖ＤＮＡが相補的な一本鎖ＤＮＡとハイブリダイゼーションする（例えば、特許文献１参照。）ことを利用して、一本鎖ＤＮＡの塩基配列を特定する方法がある。その一例としては、既知の塩基配列を有した一本鎖ＤＮＡをＰＣＲ法により増幅し、増幅した複数の一本鎖ＤＮＡをスライドガラス等の固体担体に固定したＤＮＡプローブを準備し、一本鎖ＤＮＡサンプルに蛍光物質を結合させ、蛍光標識した一本鎖ＤＮＡサンプルを固体担体上に散布する。このとき、温度を調整することで、一本鎖ＤＮＡサンプルは相補的な一本鎖ＤＮＡプローブとハイブリダイゼーションにより結合し、相補的でない一本鎖ＤＮＡプローブとは結合しない。一本鎖ＤＮＡサンプルに蛍光物質を結合させているため、一本鎖ＤＮＡサンプルと結合した一本鎖ＤＮＡプローブが蛍光を発し、一本鎖ＤＮＡサンプルと結合しない一本鎖ＤＮＡプローブは蛍光を発しない。これにより、一本鎖ＤＮＡサンプルの塩基配列を特定することができる。
【０００４】
また、一本鎖ＤＮＡサンプルを電気泳動させ、既知の塩基配列を有した一本鎖ＤＮＡを電気泳動させ、既知の一本鎖ＤＮＡの泳動距離と一本鎖ＤＮＡサンプルとの泳動距離とから、一本鎖ＤＮＡサンプルが既知の一本鎖ＤＮＡの塩基配列と同じ塩基配列を有するか否かを特定する方法もある。
【特許文献１】特開２００２−３３５９６２号公報
【発明の開示】
【発明が解決しようとする課題】
【０００５】
しかしながら、ＤＮＡサンプルをＰＣＲ増幅した後にＤＮＡプローブとして固定し、さらにハイブリダイゼーションを行うために、検査時間を要する。
【０００６】
そこで、本発明は、上記のような問題点を解決しようとしてなされたものであり、短時間で且つ精度良く、特定の塩基配列の有無を判定できるようにすることを目的とする。
【課題を解決するための手段】
【０００７】
以上の課題を解決するために、本発明の検査装置は、
蛍光標識を有するプライマーに磁気微粒子を有するｄＮＴＰを結合して得られる生成物が取り込まれるための媒体が入った槽と、
前記媒体に電界を加える電界形成手段と、
前記媒体に磁界を加える磁界形成手段と、
を備えることを特徴とする。
【０００８】
そして、本発明の検査方法は、
蛍光標識されたプライマーに磁気微粒子を有するｄＮＴＰを結合して得られる生成物を媒体に入れる工程と、
前記媒体に電界を加える電界形成工程と、
前記電界形成工程の前又は後又は同時に、前記媒体に磁界を加える磁界形成工程と、
を含むことを特徴とする。
本発明によれば、磁気微粒子を有し、ＤＮＡサンプルと相補的なためにプライマーと結合されたｄＮＴＰが、電界及び磁界によって蛍光標識されたプライマーごと容易に移動できるのでその移動を認識すれば容易にプライマーの塩基配列とＤＮＡサンプルの塩基配列とが相補的であることが検査可能となる。
【０００９】
本発明の合成装置は、
蛍光標識を有するプライマーを相補的な塩基配列のＤＮＡと結合してから磁気微粒子を有するｄＮＴＰを入れて前記蛍光標識を有するプライマーに前記ｄＮＴＰを結合するための合成用の槽を有することを特徴とする。
【００１０】
このように、プライマーの塩基配列と相補的な塩基配列がＤＮＡサンプルに含まれている場合には、槽内のプライマーとＤＮＡサンプルがアニール結合し、プライマーにｄＮＴＰが結合することによってプライマーが伸長する。一方、プライマーの塩基配列と相補的な塩基配列がＤＮＡサンプルに含まれていない場合には、プライマーとＤＮＡサンプルがアニールせず、プライマーは伸長しない。
【発明の効果】
【００１１】
本発明によれば、蛍光標識されたプライマーがＤＮＡサンプルと相補的であれば、増幅される際に磁気微粒子を有するｄＮＴＰと結合でき、磁界によってこのプライマーが移動したか否かを観察することによって、ＤＮＡサンプルにプライマーの塩基配列と相補的な塩基配列が存在するか否かを判定しているので、その判定精度が良い。
また、ＤＮＡサンプルをプライマーの増幅後にハイブリダイゼーションさせるわけではなく、ＤＮＡサンプルにプライマーの塩基配列と相補的な塩基配列が存在するか否かを判定することを短時間で行うことができる。
さらに、ＤＮＡサンプルをＤＮＡプローブとして固定する必要がないので短時間で検査できる。
【発明を実施するための最良の形態】
【００１２】
本発明を実施するための最良の形態について図面を用いて説明する。但し、以下に述べる実施形態には、本発明を実施するために技術的に好ましい種々の限定が付されているが、発明の範囲を以下の実施形態及び図示例に限定するものではない。
【００１３】
以下、本発明を適用した実施形態における”検査装置、検査方法及び合成装置”について説明する。
【００１４】
〔目的〕
ＤＮＡサンプル中に特定の塩基配列が存在するか否かを判定検査すること。
【００１５】
〔装置〕
図１は、判定検査に用いる検査装置１の平面図であり、図２は、図１のII−II面に沿った断面図である。
検査装置１は、矩形状を呈した固体撮像デバイス２と、固体撮像デバイス２の受光面の外周縁に沿って取り付けられた矩形枠状の浴槽３と、浴槽３の４辺のうち１つの框の内壁面に形成された陽極４と、陽極４が形成された框の対側となる框の内壁面に形成された陰極５と、陰極５が形成された框の外壁面に当接した磁石６と、固体撮像デバイス２の受光面に対向した紫外線源７と、固体撮像デバイス２の受光面に成膜された紫外線遮蔽膜１０と、を具備する。磁石６は、陽極４と異なる位置であって、陽極４から離れた位置に配置されている。磁石６は、電磁石であっても良いし、永久磁石であっても良い。固体撮像デバイス２は、フォトダイオード、フォトトランジスタ、ダブルゲート型フォトトランジスタといった光電変換素子をマトリクス状に配列したものである。固体撮像デバイス２としては、ＣＣＤ型固体撮像デバイス、ＣＭＯＳ型固体撮像デバイス、ＭＯＳ型固体撮像デバイス等がある。浴槽３内には、媒体であるゲル８を入れておく。ゲル８に電界を加える電界形成手段は陽極４と陰極５とからなり、陽極４と陰極５との間においてゲル８に電界が形成される。ゲル８に磁界を加える磁界形成手段は磁石６である。紫外線源７は、励起光としての紫外線を下方の固体撮像デバイス２に向かって出射する光源である。紫外線遮蔽膜１０は、アナターゼ型又はルチル型の酸化チタンからなる膜である。紫外線遮蔽膜１０は、紫外線を吸収するとともに蛍光（主に可視光波長領域）を透過する性質を有する。
【００１６】
〔工程順序〕
工程（１）：塩基配列が既知であるとともに蛍光標識されたプライマーを準備する。プライマーは、未知の塩基配列を有した一本鎖のＤＮＡサンプルに相補的な可能性のある一本鎖ＤＮＡである。プライマーの蛍光標識は、紫外線源７の紫外線によって励起して蛍光を発するものである。
【００１７】
工程（２）：伸長反応を阻害しない程度の磁気微粒子を結合させた四種のデオキシヌクレオシド３リン酸（ｄＮＴＰ）を準備する。
【００１８】
工程（３）：判定対象となるＤＮＡサンプルをユニバーサルプライマー及び酵素試薬（ポリメラーゼ）等を用いてＰＣＲ（Polymerase Chain Reaction）法により増幅する。
【００１９】
工程（４）：増幅したＤＮＡサンプルを一本鎖に変性させる。
【００２０】
工程（５）：磁気微粒子と結合したｄＮＴＰと、蛍光標識されたプライマーとを用いてＤＮＡサンプルに対してＰＣＲ法を行う。すなわち、工程（４）において得られた一本鎖ＤＮＡサンプルを含む溶液を合成用の槽に入れ、工程（１）において準備したプライマーを合成用の槽に入れ、混入された既知のプライマーが一本鎖のＤＮＡサンプルと相補的である塩基配列である場合にアニール結合できる程度に、プライマー及びＤＮＡサンプルを冷却し、その後、工程（２）において準備したｄＮＴＰ及び酵素試薬をプライマー及び一本鎖ＤＮＡサンプルを含む溶液に混入させる。ここで、プライマーがＤＮＡサンプルとアニール結合していれば、プライマーの末端から一つの塩基分だけ外側に位置するＤＮＡサンプルの対応する塩基と相補的になるような種であって且つ磁気微粒子が結合されたｄＮＴＰがＰＣＲ法によってプライマーの末端に結合され伸長する。一方、工程（１）において準備したプライマーが一本鎖ＤＮＡサンプルに相補的でない場合には、一本鎖ＤＮＡサンプルとプライマーが結合しないので、伸長反応は起きない。なお、合成用の槽は、蛍光標識を有するプライマーを相補的な塩基配列のＤＮＡと結合してから磁気微粒子を有するｄＮＴＰを入れて、プライマーにｄＮＴＰを結合するための槽である。また、合成用の槽は合成装置に備わっており、合成装置は、合成用の槽に入ったプライマーをその槽に入った相補的な塩基配列の一本鎖ＤＮＡサンプルにその槽により結合してから、その槽にｄＮＴＰを入れてその槽をもってプライマーをｄＮＴＰに結合する。
【００２１】
工程（６）：工程（５）で得られた生成物を、電界及び磁界によって泳動するための浴槽３内に満たされた陽極４側のゲル８に局在化されるように注入する。この状態を図３又は図４に模式的に示す。図３は、一本鎖ＤＮＡサンプル９１がプライマー９３と相補的な関係にある場合を示しており、図４は、一本鎖ＤＮＡサンプル９１がプライマー９３と相補的な関係にない場合を示している。図３に示すように、一本鎖ＤＮＡサンプル９１が蛍光標識９２を付したプライマー９３と相補的な関係にある場合には、工程（５）で一本鎖ＤＮＡサンプル９１とプライマー９３がアニール結合して、磁気微粒子９４の結合したｄＮＴＰ９５がプライマー９３に結合し、伸長反応が起きている。一方、図４に示すように、一本鎖ＤＮＡサンプル９１が蛍光標識９２を付したプライマー９３と相補的な関係にない場合には、一本鎖ＤＮＡサンプル９１とプライマー９３が結合せず、伸長反応も起きていない。
なお、工程（４）において得られた一本鎖ＤＮＡサンプル、工程（１）において準備したプライマー、及び、酵素試薬を陽極４側のゲル８に局在化されるように注入し、ゲル８中でＰＣＲ法により増幅しても良い。つまり、工程（５）の処理をゲル８中で行っても良いがゲル８は粘度が高いためゲル８中での各一本鎖ＤＮＡサンプル、プライマー、磁気微粒子が結合されたｄＮＴＰの移動速度は遅くなり、伸長されるまでに時間がかかる可能性がある。
【００２２】
工程（７）：一本鎖ＤＮＡサンプル及びプライマーが互いに一本鎖に変性する程度に加熱させてから陽極４が陰極５よりも高電圧となるように陽極４−陰極５間に電圧を印加し、ゲル８中に電界を発生させる。すると、ＤＮＡサンプル、プライマー、ｄＮＴＰが陽極４に向かって電気泳動する。なお、磁石６が永久磁石の場合には、磁石６及び磁気微粒子により一本鎖ＤＮＡサンプル及びプライマーが結合した状態のまま移動しないようにするため、磁石６の磁界がゲル８中の陽極４側に及ばない程度に磁石６をゲル８から離れた位置に配置しておき、磁石６が電磁石の場合には、電圧を印加させないで磁石６の磁界を励起させない。これにより、工程（７）の時点ではゲル８に磁界が発生していない。
【００２３】
工程（８）：一本鎖ＤＮＡサンプル及びプライマーが互いに一本鎖に変性する程度に加熱させてから負電荷を帯電する物質が陽極４に引きつけられるように陽極４と陰極５の間に電圧を印加する。このため負電荷を帯電する一本鎖ＤＮＡサンプル、プライマー、磁気微粒子は静電的に陽極４側に引きつけられる。引き続き、磁気微粒子付きｄＮＴＰと結合されたプライマーが、陽極４と陰極５との電界による静電的誘引力より大きい磁気的誘引力によって磁石６側に引き寄せられるような磁界を磁気微粒子及び磁石６によってもたらされるような磁界を磁石６がゲル８に発生させる。このとき磁石６の磁界と陰極５による電界が互いに大きく干渉されないように、設置する又は電界及び磁界を形成することが好ましい。したがって、磁気微粒子の結合したｄＮＴＰが陰極５に向かって移動する。また、プライマーが一本鎖ＤＮＡサンプルと相補的である場合にはプライマーに磁気微粒子と結合されたｄＮＴＰが結合しているから、ｄＮＴＰと結合したプライマーも陰極５側の磁石６に向かって移動する。この状態を図５に模式的に示すが、図５のように、プライマー９３が一本鎖ＤＮＡサンプル９１と相補的である場合にはプライマー９３にｄＮＴＰ９５が結合しているから、プライマー９３も磁石６に向かって移動する。
一方、プライマーが一本鎖ＤＮＡサンプルと相補的でない場合にはプライマーにｄＮＴＰが結合していないから、どのプライマーも陰極５に向かって移動しない。この状態を図６に模式的に示すが、図６のように、プライマー９３が一本鎖ＤＮＡサンプル９１と相補的でない場合にはプライマー９３にｄＮＴＰ９５が結合していないから、プライマー９３が移動せずに陽極４寄りに存する。
なお、磁気微粒子が結合されたｄＮＴＰ単体は体積が小さいため、磁石６の磁界によるゲル８中の泳動の際に大きな立体的障害とならないため、最も早く磁石６側に引きつけられるのに対して、磁気微粒子付きｄＮＴＰと結合されたプライマーは比較的体積が大きいため、磁気微粒子が結合されたｄＮＴＰ単体よりも遅い速度で磁石６側に移動する。そして、磁気微粒子付きｄＮＴＰと結合されたプライマーがゲル８の陽極４と陰極５の中間地点近傍または中間地点から陰極５側に移動すると推測する時間に到達したら陽極４と陰極５への電圧印加を停止するとともに磁石６の磁界がゲル８中に及ばないようにする。
【００２４】
工程（９）：紫外線源７を点灯させ、ｄＮＴＰの蛍光標識を励起する励起光としての紫外線をゲル８に向かって照射し、固体撮像デバイス２を用いて撮像を行うことによって固体撮像デバイス２の受光面に沿った蛍光強度分布を観察する。なお、紫外線によってｄＮＴＰの蛍光標識が励起して蛍光を発し、蛍光標識の蛍光が紫外線遮蔽膜１０を透過して固体撮像デバイス２に入射するが、紫外線源７の紫外線は紫外線遮蔽膜１０によって遮蔽されて固体撮像デバイス２に入射しない。つまり、紫外線遮蔽膜１０は、蛍光標識の蛍光を紫外線源７の紫外線と分別する分別手段として機能する。ここで、固体撮像デバイス２は、各光電変換素子での蛍光の受光量を判別することによって、受光面に沿った蛍光強度分布を測定するものである。
【００２５】
蛍光強度分布を観察した結果、プライマーの塩基配列によって特定可能な塩基配列がＤＮＡサンプルに存在するか否かを判定することができる。
詳細には、一本鎖ＤＮＡサンプルがプライマーと相補的である場合には、磁気微粒子付きｄＮＴＰと結合していないプライマーが陽極４寄りに密集し、磁気微粒子付きｄＮＴＰと結合されたプライマーが陽極４と陰極５の中間地点近傍または中間地点から陰極５側に密集するので、プライマーに付着された蛍光標識が励起光によって発光すると、陽極４寄りに蛍光強度のピークが検出されるとともに、更に伸長したプライマーが相対的に磁石６寄り（結果として陰極５寄り）に移動しているのでもう一つのピークが検出される。このように、陽極４から陰極５にかけて二箇所で蛍光強度のピークが検出された場合には、一本鎖ＤＮＡサンプルがプライマーと相補的であり、特定の塩基配列（プライマーと相補的な塩基配列）がＤＮＡサンプルに存在することがわかる。例えば、図５の場合には、蛍光強度のピークはプライマー９３の位置とｄＮＴＰ９５，９５，…の位置に検出され、プライマー９３と相補的な塩基配列が一本鎖ＤＮＡサンプル９１に存在することがわかる。
【００２６】
一方、一本鎖ＤＮＡサンプルがプライマーと相補的でない場合には、磁気微粒子付きｄＮＴＰと結合したプライマーがなく、プライマーが陰極５に向かって移動していないから、陽極４寄りのみで蛍光強度のピークが検出される。このように、陽極４から陰極５にかけて一箇所で蛍光強度のピークが検出された場合には、一本鎖ＤＮＡサンプルがプライマーと相補的でなく、特定の塩基配列（プライマーと相補的な塩基配列）がＤＮＡサンプルに存在しないことがわかる。例えば、図６の場合には、蛍光強度のピークはｄＮＴＰ９５，９５，…の位置に検出され、プライマー９３の位置では検出されないので、プライマー９３と相補的な塩基配列が一本鎖ＤＮＡサンプル９１に存在しないことがわかる。
【００２７】
以上のように、本実施形態によれば、工程（７）で陽極４と陰極５との間の電界によって生成物が陽極４付近に密集し、工程（８）で加えられた磁石６の磁界によって、プライマー（図５の場合、プライマー９３）の塩基配列と相補的な塩基配列がＤＮＡサンプル（図５の場合、ＤＮＡサンプル９１）に存在する場合にはプライマーが陽極４から離れ、プライマー（図６の場合、プライマー９３）の塩基配列と相補的な塩基配列がＤＮＡサンプル（図６の場合、ＤＮＡサンプル９１）に存在しない場合にはプライマーが磁石６の磁界によっても陽極４から離れないので、プライマーが相補的である場合と相補的でない場合とのプライマーの位置の差が顕著に現れる。つまり、図５の場合のプライマー９３の位置と、図６の場合のプライマー９３の位置との差が顕著に現れる。そのため、プライマー（図５、図６の場合、プライマー９３）の塩基配列と相補的な塩基配列がＤＮＡサンプル（図５、図６の場合、ＤＮＡサンプル９１）に存在するか否かを容易に判定することができる。
【００２８】
プライマーが相補的である場合と相補的でない場合とのプライマーの位置の差が顕著に現れるので、陽極４から陰極５までの距離が短くても済む。そのため、浴槽３、固体撮像デバイス２の小型化を図ることができ、強いては検査装置１の小型化を図ることができる。
【００２９】
また、プライマーの塩基配列と相補的な塩基配列がＤＮＡサンプルに存在するか否かを判定するに際して、ＤＮＡサンプルを増幅後に温度を調整してハイブリダイゼーションさせていないので、判定に要する時間が短くて済む。
【００３０】
なお、上記実施形態では、工程（５）において一種類のプライマーを用いて一本鎖ＤＮＡサンプルに対してＰＣＲ法を行っているが、二種類以上のプライマーを用いて同時に一本鎖ＤＮＡサンプルに対してＰＣＲ法を行っても良い。この場合、プライマーに結合させる蛍光物質の蛍光色がプライマーの種類ごとに異なるようにし、工程（９）において固体撮像デバイス２によって分光強度分布を観察してどちらのプライマーの蛍光物質の蛍光波長であるかを測定するようにすれば良い。
【００３１】
また、上記実施形態では工程（８）において、工程（７）に引き続き陽極４と陰極５との間に電界を発生させているが工程（８）の磁石６の磁界とともに生じる電界が陽極４と陰極５との間の電界に悪影響を及ぼしかねないので、磁石６でゲル８中に磁界を形成している間は、陽極４と陰極５との間に電圧を印加しない方が好ましい。この場合、磁石６の磁界による磁性体の誘引力が、陽極４と陰極５との間に印加された電圧で生じる電界による塩基の静電的誘引力より大きい必要はない。さらに工程（７）を行わずに工程（８）を行っても良いし、工程（８）の後に工程（７）を行っても良い。
【００３２】
また、工程（９）において固体撮像デバイス２を用いてゲル８の蛍光強度分布を観察したが、目視による観察であっても良いし、ゲル８から離れた位置に配置されたカメラを用いてゲル８の蛍光強度分布を観察しても良い。
【００３３】
また不要に拡散を抑えるために媒体としてゲル８を用いたが、ある程度の粘性があり、一本鎖ＤＮＡサンプル、蛍光標識、プライマー、磁気微粒子、ｄＮＴＰに対して不活性であり、電界、磁界の形成を著しく阻害せず、固体撮像デバイス等で検知しうる程度に光透過性があるものであればこれに限らない。
【００３４】
また、上記実施形態では、ＤＮＡサンプルの塩基配列が未知で、プライマーの塩基配列が既知であったが、ＤＮＡサンプルの塩基配列が既知で、プライマーの塩基配列が未知であってもよい。例えば図３〜図５の場合、ＤＮＡサンプル９１の塩基配列が既知で、プライマー９３の塩基配列が未知であっても良い。
【００３５】
上記実施形態では、図３〜図５ではプライマー９３と結合したｄＮＴＰ９５が一つだけであったが、これに限らず複数のｄＮＴＰ９５がプライマー９３と結合して伸長してもよい。このとき、プライマー９３と結合された複数のｄＮＴＰ９５に、２つ以上の磁気微粒子９４がついていれば、全体として磁界による誘引力が増大し、より早く移動できる。このため、一つ磁気微粒子９４による誘引力では陽極４と陰極５との間の電界による誘引力より小さくても付着された全ての磁気微粒子９４の磁界による誘引力が大きければよい。
【００３６】
また上記実施形態では、図３〜図５では一つのｄＮＴＰ９５に一つの磁気微粒子９４が付いていたが、複数のｄＮＴＰが結合された状態で一つの磁気微粒子が付いているものを増幅に用いてもよい。
【図面の簡単な説明】
【００３７】
【図１】本発明の方法を適用した実施形態において用いる検査装置１の平面図である。
【図２】図１のII−II面に沿った断面図である。
【図３】一本鎖ＤＮＡサンプルがプライマーと相補的な関係にある場合にゲル８中の状態を示した図面である。
【図４】一本鎖ＤＮＡサンプルがプライマーと相補的な関係にない場合にゲル８中の状態を示した図面である。
【図５】一本鎖ＤＮＡサンプルがプライマーと相補的な関係にある場合に、図３の様な状態の後に磁界及び電界を発生させたときに、ゲル８中の状態を示した図面である。
【図６】一本鎖ＤＮＡサンプルがプライマーと相補的な関係にない場合に、図４の様な状態の後に磁界及び電界を発生させたときに、ゲル８中の状態を示した図面である。
【符号の説明】
【００３８】
２  …  固体撮像デバイス（判別手段）
３  …  浴槽
４  …  陽極（電界形成手段）
５  …  陰極（電界形成手段）
６  …  磁石（磁界形成手段）
７  …  紫外線源（光源）
８  …  ゲル（媒体）
【図１】
2005192497.tif 000003
【図２】
2005192497.tif 000004
【図３】
2005192497.tif 000005
【図４】
2005192497.tif 000006
【図５】
2005192497.tif 000007
【図６】
2005192497.tif 000008